(57)【要約】【課題】軽量性及び断熱性に優れる段ボールの特性を活かし、かつ災害ボランティア等の人力によって簡易に建築することができる段ボールを利用した建築物の建築方法を提供することを課題とする。【解決手段】建築方法１は、段ボールを利用した正八角形状の建築物を建築するものであり、予め形成されたコンクリート製の基礎部の上に正八角形状の床部を構築する床部構築工程Ｓ１と、床部の外周形状に略一致する多角筒状の壁部を組立てる壁部組立工程Ｓ２と、組立てられた壁部を基礎部に固定する壁部固定工程Ｓ３と、八面ドーム状の屋根部を組立てる屋根部組立工程Ｓ４と、組立てられた屋根部を壁部に固定する屋根部固定工程Ｓ５とを主に具備する。【選択図】図４
2007308956.tif 000002
【特許請求の範囲】
【請求項１】
段ボール製の床部、壁部、及び屋根部によって居住空間の構築された建築物を建築するための段ボールを利用した建築物の建築方法であって、
多角形状の基礎部に合わせて段ボール製の床パネルを敷設し、前記床部を構築する床部構築工程と、
四角形状の複数の段ボール製の壁パネルの互いの壁側縁同士を連結し、前記基礎部及び前記床部の外周形状に略一致する多角筒状の前記壁部を組立てる壁部組立工程と、
組立てられた前記壁部を前記床部の外周形状に沿って配し、前記基礎部から前記壁パネルが垂設するように前記壁部を前記基礎部に固定する壁部固定工程と、
略二等辺三角形状の複数の段ボール製の屋根パネルの互いの等辺縁同士を連結し、中心付近が上方に突出した多面ドーム状の前記屋根部を組立てる屋根部組立工程と、
組立てられた前記屋根部の底端縁及び前記基礎部に固定された前記壁部の上端縁を連結し、前記壁部に前記屋根部に固定する屋根部固定工程と
を具備することを特徴とする段ボールを利用した建築物の建築方法。
【請求項２】
前記壁部組立工程及び前記屋根部組立工程の少なくともいずれか一方は、
前記壁パネルの前記壁側縁からそれぞれ延設された側端片または前記屋根パネルの前記等辺縁からそれぞれ延設された等辺縁片を内側に向かって曲折し、互いの前記側端片の側端片面同士、または互いの前記等辺縁片の等辺縁片面同士を当接させ、前記側端片面同士または前記等辺縁片面同士の当接状態を保持するための当接固定手段を利用し、前記壁部または前記屋根部を組立てることを特徴とする請求項１に記載の段ボールを利用した建築物の建築方法。
【請求項３】
前記屋根部固定工程は、
前記壁パネルの前記上端縁から延設された上端片及び前記屋根パネルの前記底端縁から延設された底端片をそれぞれ内側に向かって曲折し、前記上端片の上端片面及び前記底端片の底端片面を当接させ、前記上端片面及び前記底端片面の当接状態を保持するための屋根部固定手段を利用し、前記壁部に前記屋根部を固定することを特徴とする請求項１または請求項２に記載の段ボールを利用した建築物の建築方法。
【請求項４】
連結された前記壁側縁同士、前記等辺縁同士、及び、前記上端縁及び前記底端縁の連結縁に沿って両面テープを貼着する両面テープ貼着工程と、
前記連結縁に沿って貼着された前記両面テープの上にガムテープを重ね貼りするテープ重貼工程と
をさらに具備することを特徴とする請求項１乃至請求項３のいずれか一つに記載の段ボールを利用した建築物の建築方法。
【請求項５】
建築された前記建築物の周囲に所定の間隔を保って一部が埋設された複数のロープ締結部を利用し、前記屋根部の屋根面を被覆する防水性のシート部を張設するシート張設工程をさらに具備することを特徴とすることを特等とする請求項１乃至請求項４のいずれか一つに記載の段ボールを利用した建築物の建築方法。
【発明の詳細な説明】
【技術分野】
【０００１】
本発明は、段ボールを利用した建築物の建築方法に関するものであり、特に台風や地震等の自然災害が発生した地域において、避難した住民が一時的に入居し、避難生活を送ることが可能な仮設住宅として利用される段ボールを利用した建築物の建築方法に関するものである。
【背景技術】
【０００２】
従来から、台風、地震、火山の噴火、及び豪雪等の種々の自然現象によって、家屋の倒壊や生命に対する危険性が強くなった地域に対し、避難命令や避難勧告が当該地域の国または自治体によって発せられることがある。このような場合、避難住民は、小中学校の体育館や公民館等の、当該地域では比較的安全で、かつ多人数を一度に収容できる公共施設に避難し、一時的な集団生活（避難生活）を送ることがある。
【０００３】
係る集団生活は、当該地域の乳幼児から高齢者に至る幅広い年齢層の人々を対象とするものであり、体育館等の床面に蒲団や毛布を敷詰めて個人（または各世帯）のスペースを確保している。そのため、各世帯毎に係るスペースをパーテーションなどで区切ることができず、常に周囲の人の視線に晒される結果となる。そのため、着替えなどの日常的な行動にも他人の視線を意識しなければならず、個人のプライバシーが確保されているとは言えない精神的なストレスの溜まりやすい劣悪な環境に置かれる場合もあった。また、起床時間や就寝時間等の各避難２住民の生活リズムがバラバラであり、人の動きや話声が気になって十分な睡眠時間をとれない場合も多かった。そのため、避難生活の不安やプライバシーの確保などの精神的ストレス及び睡眠不足などの肉体的な疲労が蓄積し、些細なことで避難住民同士がトラブルを起こすようなこともあった。そのため、これらの集団生活は、自然災害の発生直後の短い期間で完了し、長期にわたる避難生活はプライバシー等の確保されたものにすることが必要であった。
【０００４】
そのため、所謂「仮設住宅」の建設が自然災害の発生した地域の自治体の主導によって行われている。この仮設住宅は、各世帯毎に供給されるため、周囲の視線に晒されることがなく、これらに係る精神的なストレスを低減することができる。そのため、避難前の生活リズムを守ることができ、避難住民同士のトラブルの発生を抑制し、さらに避難住民の健康を安定させることができるようになる。
【０００５】
ここで、建築される仮設住宅は、予め工場等で資材の加工及び仮組立て等の工程を完了し、実際に設置される建築現場では、基礎への設置工事やガス、電気、上下水道等のライフラインの確保及び設置を主として行うプレハブ工法による住宅（プレハブ住宅）が一般的に利用されている。このプレハブ住宅は、従来の建築物に比べ、施工に係る期間を著しく短くすることができ、短期間で多くの仮設住宅を建築することができる優れたメリットを有している。
【０００６】
ところで、従来の建築物に係る建築資材は、木造建築等の木質材料、或いはコンクリート住宅等に用いられるコンクリート資材及び鉄筋資材（金属材料）などが主として建築物に必要な十分な強度を確保するために用いられていた。一方、新たな建築物に係る建築資材として、上記材料と異なり、比較的軽量な段ボール（紙質材料）に屋外耐久性や多方向から加えられる荷重に対する強度等の各種特性を向上させる加工処理を行い、係る加工済みの段ボールを用いて建築する段ボール建築物に関する技術の開発も進められている。
【０００７】
ここで、段ボールは軽量性と優れた断熱性（低熱伝導性）を備える素材であり、これらの利点を生かした建築物が既に建築されている。例えば、上記特性を利用し、複数枚の段ボールを重合わせて積層し、互いを貼合わせることによって、建築物の外装材及び内装材として使用する段ボール建築物（特許文献１参照）、段ボールのフルート方向を互いにクロスになるように積層し、さらに接合を容易にする接合フレームで周りを囲み、そして、樹脂等をコーティングすることによって、パネル状の段ボールの耐久性及び強度を著しく向上させた積層段ボールパネルを用いた積層段ボールパネル構造建築物（特許文献２参照）、或いは曲面状に段ボールを積層し、さらに表面をポリエステル樹脂等でコーティングした積層曲面段ボールパネルを組合わせ施工された曲面段ボールを用いた建築物（特許文献３参照）などが知られている。
【０００８】
【特許文献１】特開平１１−６２１００号公報
【特許文献２】特開２００１−１９３１５９号公報
【特許文献３】特開２０００−３５２１４７号公報
【発明の開示】
【発明が解決しようとする課題】
【０００９】
しかしながら、上述した自治体等によって建築される仮設住宅は、下記に掲げる問題を生じることがあった。すなわち、これらの仮設住宅（プレハブ住宅）を建築しようとする場合、各自治体にはこれらの自然災害に備えた仮設住宅用のストックがなく、予め契約した建築業者等に依頼する必要があり、これらに要する手続が煩雑だった。そのため、自然災害が発生してから施工の開始までに、最低でも１ヶ月程度は必要となることがあり、係る期間は避難住民に対し、体育館等での集団生活を課することが実情であった。さらに、上述したように、プレハブ住宅の多くは、木質材料或いは金属材料を主たる建築資材として利用するために、これらの建築資材の建築現場までの搬送するための荷積、及び搬送後の建築資材の積降しの際にクレーン等の重機が必要となることがあった。また、該重機の稼働には、専門的な技能を有するオペレータが必要となり、重機及びオペレータの手配など、さらには建築現場の選定など、施工までに解決しようとする問題が山積することがあった。
【００１０】
さらに、自然災害の発生によって、応急的に集積された建築資材を利用して係るプレハブ住宅が建築されるため、各々の仕様にバラツキが生じ、各建築資材毎に施工方法が異なったりするなど、実際の建築現場の作業員でも混乱を生じることがあった。また、広さや居住性などの点で相違が生じ、入居した避難住民の間で不公平感を覚えるなどの問題が生じることもあった。
【００１１】
そして、建築された仮設住宅は、避難命令等が解除されると、避難住民はこれらの仮設住宅を離れ、自宅に戻ったり、或いは新たな生活の場所を求め、他所に引っ越すことが一般的である。すなわち、これらの仮設住宅は、災害直後から避難住民が日常生活に戻るまでの一時的な期間を過ごすためのものであり、避難命令等の解除後は不要となり、必然的に撤去する必要があった。
【００１２】
そこで、災害地域に集まった災害ボランティア等の一般の人々などの手によって（人力によって）簡易に建築することが可能であり、かつ使用後には再利用することが可能なリサイクル性の高い建築資材を利用した建築物を期待する声が多かった。
【００１３】
一方、上述した紙質材料の段ボールを利用して建築物を構成するものは、リサイクル性の点では優れているものの、いずれも強度等の特性を向上させるために、複数枚のパネル状の段ボールを積層し、貼合わせたものを用いることがほとんどであり、重量が従来の木質材料等と比してそれほど著しく減少するものではなく、人力等では建築することが困難なケースが大部分であった。
【００１４】
そこで、本発明は、上記実情に鑑み、軽量性及び断熱性に優れる段ボールの特性を活かし、かつ災害ボランティア等の人力によって簡易に建築することができる段ボールを利用した建築物の建築方法を提供することを課題とするものである。
【課題を解決するための手段】
【００１５】
上記の課題を解決するため、本発明の段ボールを利用した建築物の建築方法は、「段ボール製の床部、壁部、及び屋根部によって居住空間の構築された建築物を建築するための段ボールを利用した建築物の建築方法であって、多角形状の基礎部に合わせて段ボール製の床パネルを敷設し、前記床部を構築する床部構築工程と、四角形状の複数の段ボール製の壁パネルの互いの壁側縁同士を連結し、前記基礎部及び前記床部の外周形状に略一致する多角筒状の前記壁部を組立てる壁部組立工程と、組立てられた前記壁部を前記床部の外周形状に沿って配し、前記基礎部から前記壁パネルが垂設するように前記壁部を前記基礎部に固定する壁部固定工程と、略二等辺三角形状の複数の段ボール製の屋根パネルの互いの等辺縁同士を連結し、中心付近が上方に突出した多面ドーム状の前記屋根部を組立てる屋根部組立工程と、組立てられた前記屋根部の底端縁及び前記基礎部に固定された前記壁部の上端縁を連結し、前記壁部に前記屋根部に固定する屋根部固定工程と」を具備するものから主に構成されている。
【００１６】
ここで、本発明の段ボールを利用した建築物の建築方法（以下、単に「建築方法」と称す）によって建築される建築物は、段ボール製の床パネル、壁パネル、及び屋根パネルによって構成され、外観が多角形（例えば、正八角形など）を呈して構成されるものである。そのため、一枚のパネル自体の重量は比較的軽量であり、クレーンなどの重機を必要とすることがなく、また建築現場に搬送する場合も通常の建築資材に比べて困難性を伴うものではない。
【００１７】
したがって、本発明の建築方法によれば、多角形状に形成された基礎部に合致するように床パネルを敷設することによって床部が構築される。ここで、基礎部は、型枠にコンクリートを流し込んで形成したものが利用される。さらに、この基礎部及びこれに合わせて敷設して構築される床部の多角形状は、特に限定されないが、後述する壁部等の強度、及び形成される居住空間をできるだけ広く確保し、かつ作業性を損なわない程度のものが好ましい。そのため、正六角形或いは正八角形のような構成のものが好適と思われる。さらに、床部を構成する床パネルは、係る多角形状に加工された一枚の床パネルから構成されるものであっても、或いは三角形（例えば、直角二等辺三角形）及び四角形（正方形及び長方形の組合わせ）によって構成されるものであっても構わない。
【００１８】
さらに、四角形状の複数の段ボール製の壁パネルの壁側縁同士を連結し、多角筒状の壁部の組立てを行う。ここで、各壁パネルの幅方向のパネル辺長さは、基礎部及び床部の外周の長さにそれぞれ略一致していることになる。そして、複数の壁パネルを互いに連結し、環状に形成することにより、壁パネル同士の側端縁の箇所が角部となる多角筒状の壁部が構成されることになる。なお、壁部の壁側縁同士を連結する手段については、特に限定されないが、ビスやネジ、或いは接着剤、さらには固定用のテープ等の周知の固定手段または連結手段を利用することが可能である。しかしながら、例えば、避難住民等の一世帯が数ヶ月にわたって居住するために、ある程度の強度を備えた固定手段を採用することが必要である。
【００１９】
そして、組立てられた壁部が床部の外周形状に合わせて、すなわち、壁部の各辺（壁パネルのパネル面に相当）と床部の外辺とを一致させるようにして配され、壁部の下端と基礎部とが固定される。ここで、基礎部との固定には、例えば、コンクリート釘を利用し、壁部（壁パネル）の下端から延設され、床部側に曲折された下端片をにコンクリート釘を打設し、下端片を貫通し、その下のコンクリート釘に固定するものを例示することができる。この固定を壁部の各壁パネルに対して一箇所以上行うことにより、壁部の基礎部に対して強く固定される。これにより、壁部に対して横方向から強い荷重が加えられた場合であっても、下端片が基礎部に固定されているため、壁部が基礎部に対して移動することがない。
【００２０】
さらに、二等辺三角形状の複数の屋根パネルの等辺縁同士を連結し、多面ドーム状の屋根部の組立てを行う。ここで、屋根パネル同士の連結は、上述した壁パネル同士の連結と略同一の手法をとることも可能である。しかしながら、屋根部は上方からの雨水が浸入しやすいため、特に防水等の対策を施した固定手段または連結手段を採用するものであってもよい。そして、組立てられた屋根部の底端縁と壁部の上端縁とを連結することにより、壁部の上に屋根部が載置された状態となり、床部、壁部、及び屋根部によって居住空間が形成される。これにより、本発明の建築方法を採用することにより、段ボール製の各構成部材を用い、多角形状の建築物の建築が可能となる。特に、屋根部が居住空間の周囲の壁部によって支持されているため、屋根の中央付近を支える柱の構成を必要とすることがない。その結果、既存の住宅と比して居住空間を広く確保することができる。また、円に近似する多角形状に形成されているため、上方及び側方からの荷重に対する強度が高く、かつ前述した居住空間を可能なかぎり広くとることができる優れた利点を有している。さらに、本発明の建築方法によれば、床部、壁部、及び屋根部によって主に構成されるため、建築部材の点数が少なく、また個々の固定及び連結も比較的簡易に行うことが可能となる。そのため、短期間での建築が可能であり、自然災害によって被災した地域の住民のプライバシーを速やかに確保し、安定した避難生活を送ることができるようになる。
【００２１】
さらに、本発明の建築方法は、上記構成に加え、「前記壁部組立工程及び前記屋根部組立工程の少なくともいずれか一方は、前記壁パネルの前記壁側縁からそれぞれ延設された側端片または前記屋根パネルの前記等辺縁からそれぞれ延設された等辺縁片を内側に向かって曲折し、互いの前記側端片の側端片面同士、または互いの前記等辺縁片の等辺縁片面同士を当接させ、前記側端片面同士または前記等辺縁片面同士の当接状態を保持するための当接固定手段を利用し、前記壁部または前記屋根部を組立てる」ものであっても構わない。
【００２２】
したがって、本発明の建築方法によれば、壁パネル同士の連結または屋根パネル同士の連結が各パネルから延設された側端片または等辺縁片を互いに重ね合わせ、この重ね合わせた状態（当接状態）にするために当接固定手段が利用されている。すなわち、各パネル同士の一部を面接触させ、さらに係る状態を保持するようにすることで強い連結状態を創り出すことができる。なお、当接固定手段としては、例えば、互いに当接した各片同士を挟込むようにボルト及びナットを取付けけて固定するものや、プラスチック製のリブを差し込むことによって、当接状態の解除が容易に行えないようにするものを開示することができる。さらに、当接した各片に複数の孔を穿設し、雑誌等をまとめて縛り上げる際に利用されるポリプロピレン製の細紐の締結バンドを利用し、該締結バンドを各孔に通し、円環状にして縛り上げることによって固定するものであっても構わない。なお、係る締結バンドは、円環状に縛るプラスチック製のリングによって円環の径を小さくすることはできるものの、円環の径を再び大とする方向には戻すことができない特性を有している。そのため、取付後に係る締結バンドによる締結状態が解除される可能性はほとんどない。
【００２３】
さらに、本発明の建築方法は、上記構成に加え、「前記屋根部固定工程は、前記壁パネルの前記上端縁から延設された上端片及び前記屋根パネルの前記底端縁から延設された底端片をそれぞれ内側に向かって曲折し、前記上端片の上端片面及び前記底端片の底端片面を当接させ、前記上端片面及び前記底端片面の当接状態を保持するための屋根部固定手段を利用し、前記壁部に前記屋根部を固定する」ものであっても構わない。
【００２４】
したがって、本発明の建築方法は、壁部の壁パネルの上端縁から延設された上端片と屋根パネルの底端縁から延設された底端片の各面を互いに当接させ、屋根部固定手段によって固定することにより、壁部及び屋根部を連結することが行われる。ここで、屋根部固定手段は、前述した当接固定手段において示したプラスチック製のリブや締結バンド等の周知の技術を利用することが可能である。これにより、屋根部及び壁部の連結が行われる。これにより、屋根部は、各底端縁が壁部と連結されることにより、壁部の上方に支持されることになる。すなわち、互いに隣合う屋根パネル同士が互いに連結されているため、屋根パネルの中央付近が自重に従って下方に落下しようとしても、両端の屋根パネルによって係る動きが規制される。これにより、多面ドーム状の屋根部は、底端縁を壁部に連結するだけで、中央付近が若干盛り上がった多面ドーム状の形状が保持される。特に、屋根部を軽量の段ボールで形成することにより、該形状の保持がさらに容易となる。
【００２５】
さらに、本発明の建築方法は、上記構成に加え、「連結された前記壁側縁同士、前記等辺縁同士、及び、前記上端縁及び前記底端縁の連結縁に沿って両面テープを貼着する両面テープ貼着工程と、前記連結縁に沿って貼着された前記両面テープの上にガムテープを重ね貼りするテープ重貼工程と」を具備するものであっても構わない。
【００２６】
したがって、本発明の建築方法によれば、上述した当接固定手段または屋根部固定手段等によって組立てられた屋根部及び壁部の各連結箇所（連結縁）に両面テープ及びガムテープが積層して貼着されている。これにより、各端縁同士の隙間を埋めることができ、内部の居住空間に水滴等が浸入したり、或いは風が吹き込むことを防ぐことができ、さらに該連結状態を補強することが可能となる。これにより、建築物自体の耐久性を向上させることが可能となる。
【００２７】
さらに、本発明の建築方法は、上記構成に加え、「建築された前記建築物の周囲に所定の間隔を保って一部が埋設された複数のロープ締結部を利用し、前記屋根部の屋根面を被覆する防水性のシート部を張設するシート張設工程を」具備するものであっても構わない。
【００２８】
したがって、本発明の建築方法によれば、屋根部の上に防水性のシート部が被せられ、屋根部を被覆した状態で該シート部がロープによって張設される。これにより、屋根部が直接雨水に晒されることがないため、建築物自体の強度及び耐久性を向上させることができる。
【発明の効果】
【００２９】
本発明の効果として、段ボールによって構成される各パネルを互いに連結することで多角形状の段ボールを利用した建築物を簡易な工法で建築することができる。そのため、自然災害等が発生した地域において、建築に関して専門的な知識を有することのない災害ボランティア等の人々の手によっても建築することが可能となる。また、使用される段ボール製の各パネルも一枚当たりの重量は、それほど重いものではなく、一人または二人の力によって容易に持ち運びすることができる。そのため、少人数（例えば、４人から８人程度）で、かつ短い期間（例えば、１日程度）で段ボールを利用した建築物を建築することができ、特に早急に避難用の住居の確保を必要とする被災地で本発明の建築方法を採用することは好適と考えられる。
【発明を実施するための最良の形態】
【００３０】
以下、本発明の一実施形態である建築方法１について、図１乃至図４に基づいて説明する。ここで、図１は本実施形態の建築方法１によって建築される建築物２の外観構成を示す斜視図であり、図２は建築物２の外観構成を示す分解斜視図であり、図３は（ａ）壁パネル３ｂ及び（ｂ）屋根パネル４の構成の一例を示す説明図であり、図４は建築方法１における各工程の流れの一例を示すフローチャートである。
【００３１】
本実施形態の建築方法１は、段ボールを利用した正八角形状の建築物２を建築するためのものであり、その主な工程は、予め設けられたコンクリート製の基礎部５の形状に合わせて正八角形状の段ボール製の床部６を構築する床部構築工程Ｓ１と、床部６の外周形状に略一致する八角筒状の段ボール製の壁部７を組立てる壁部組立工程Ｓ２と、組立てられた壁部７を基礎部５に固定する壁部固定工程Ｓ３と、八面ドーム状の段ボール製の屋根部８を組立てる屋根部組立工程Ｓ４と、組立てられた屋根部８を壁部７に固定する屋根部固定工程Ｓ５とを具備して主に構成されている。
【００３２】
ここで、本実施形態の建築方法１によって建築される建築物２について図１乃至図３に基づいて主に説明すると、建築物２は、基礎部５の上に敷設された段ボール製の床部６と、床部６を囲うようにして基礎部５から垂設された段ボール製の壁部７と、壁部７の上端縁９と連結し、床部６の上方に支持された段ボール製の屋根部８と、屋根部８の屋根面１０を被覆するようにして張設された屋根シート１１とを具備し、床部６、壁部７、及び屋根部８によって囲まれた居住空間１７を形成し、全体が所謂「かまくら」状を呈して構成されている。
【００３３】
ここで、建築物２の各部の構成について詳述すると、床部６は、図２に示すように、正方形床パネル１２ａ、長方形床パネル１２ｂ、及び三角形床パネル１２ｃをそれぞれ組合わせることによって構成されている。さらに、壁部７は、八枚の四角形状の壁パネル３ａ，３ｂ，３ｃの壁側縁１３同士を互いに連結することにより、上方から見ると八角形の筒状に形成されている。また、屋根部８は八枚の二等辺三角形状の屋根パネル４の等辺縁１４同士を連結することにより、中心部分が上方に突出し、屋根面１０が所定の傾斜角で傾斜した八面ドーム状に形成されている。
【００３４】
次に、建築物２を建築するための本実施形態の建築方法１について、建築物２の各部構成の詳細を示しながら説明をする。ここで、本実施形態の建築方法１は、３名乃至４名の作業員が実働６時間で建築物２の建築を完了することが可能なものについて例示している。さらに、該建築物２が建築される場所には、予め所定の型枠に沿ってコンクリートが流し込まれ、表面を平滑にした基礎部５が既に設けられているものとする。すなわち、コンクリートの硬化にはある程度の日数が必要であるため、建築される場所に対し、準備工程として基礎部形成工程（図示しない）を実施した段階から本実施形態の建築物を開始するものとする。なお、基礎部形成工程を本発明の建築方法に加えるものであってももちろん構わない。
【００３５】
始めに、正八角形状に固められたコンクリート製の基礎部５の上面に、基礎部５の外周形状に合わせ、種々の形状からなる段ボール製の床パネル１２ａ，１２ｂ，１２ｃを組合わせるようにして敷設し、床部６を構築する（床部構築工程Ｓ１）。さらに、具体的に説明すると、床部６は、図２に示すように、正方形状を呈し、床部６の中心部に集積して配され、正方形ブロック１５を構成する４個の正方形床パネル１２ａと、長方形状を呈し、４個または２個ずつ集積した長方形ブロック１６として、該正方形ブロック１５のそれぞれのブロック辺１５ａに配される計１４個の長方形床パネル１２ｂと、直角二等辺三角形状を呈し、前述した正方形ブロック１５のブロック辺１５ａ（長方形床パネル１２ｂの長手方向の長さの２倍に相当）する直角対辺１７及び直角対辺１７を９０度の挟角で挟んだ二つの挟辺１８（長方形床パネル１２ｂの短手方向の長さの２倍に相当）を有する４個の三角形床パネル１２ｃとを備え、これらを組合わせることにより正八角形状に形成されている。ここで、図２に示すように、正方形床パネル１２ａの長さの２倍と、長方形床パネル１２ｂの長手方向の長さの２倍と、三角形床パネル１２ｃの直角対辺１７の長さがいずれも一致し、かつ正八角形状の基礎部５及び床部の外周の各片の長さに相当することとなる。
【００３６】
また、床部６の一辺は、長方形床パネル１２ｂの２個分に相当する箇所が省略され、基礎部５がそのまま露出した状態となっている。すなわち、建築物２の居住空間１９に靴を脱いで上がる際の玄関部２０が基礎部５と床部６との段差によって構成されている。なお、上述した段ボール製の床パネル１２ａ等は、一般的な厚さの段ボールパネルによって構成されるものを例示したが、複数枚の段ボールパネルを積層して構成されるものであっても、または段ボールパネルによって筐体を形成し、すなわち、各床パネル１２ａ等を角柱状に形成したものであっても構わない。これにより、コンクリート製の基礎部５の上面から床パネル１２ａ等のパネル上面に厚み（高さ）を持たせることにより、地表面温度がパネル上面に直接伝搬することを抑え、居住空間１９の居住性や保温性を高めることができるようになる。
【００３７】
その後、段ボール製の壁パネル３ａ等を利用して壁部７の組立てを行う（壁部組立工程Ｓ２）。ここで、図１及び図２に示すように、建築される建築物２は三種類の異なる形状を有する壁パネル３ａ，３ｂ，３ｃを用いて構成されている。さらに具体的に説明すると、建築物２の居住空間１９に入退出するための出入口に相当する大きな開口部２１が設けられ、前述の床部６及び基礎部５によって形成された玄関部２０と相対する箇所に配される出入口用の壁パネル３ａ（一枚）と、居住空間１９の中に生活に必要な電気やガス等の各種配線及び配管を通すための配線／配管孔２２及び居住空間１９の室内環境を整えるための換気を行う換気孔２３が斜め上方位置に設けられた配線／配管／換気用の壁パネル３ｂ（四枚）と、居住空間１９から外部の様子を確認するため、及び換気のために開口され、プラスチック製の窓部２４がパネル外面２５に開閉自在に取付けられる窓口部２６が開口した窓用の壁パネル３ｃ（三枚）とから構成されている。なお、図３（ａ）は、換気孔２３等を有する壁パネル３ｂを例示している。
【００３８】
そして、壁部７の組立ての具体的な方法は、壁パネル３ａ等の壁側縁１３からそれぞれ延設された壁側片２７を内側（床部６の中心側に相当：以下同じ）に向けて略９０°以上曲折し、壁側片２７の側片面同士を互いに面接触させた状態で重ね合わせ、さらに該面接触の状態を保持するためにプラスチック製のリブ（図示しない）をそれぞれの壁側片２７を貫通するように挿込み、固定することによって行われる。その結果、リブによって壁側片２７が互いに離間することが規制され、かつ互いの側片面同士がずれる（摺動）するような動きも規制される。そして、八枚の壁パネル３ａ等に対して上記作業をすべて行い、かつ一方向に繋がった壁パネル３ａ等の両端同士を連結することにより、筒状（若しくは環状）の壁部７が形成される。なお、この状態では基礎部５に固定されていないため、各壁パネル３ａ等間の角度は、自在に変形することが可能となっている。
【００３９】
ここで、本実施形態の壁部７は、図２に示すように、壁パネル３ａを正面とした場合、時計回りに壁パネル３ｂ→壁パネル３ｃ→壁パネル３ｂ→壁パネル３ｃ→壁パネル３ｂ→壁パネル３ｃ→壁パネル３ｂのように各パネルが交互に並ぶように配されている。また、隣接する壁パネル３ａ等の壁側縁１３には、互いの壁側縁１３同士を隙間無く密着させ、壁パネル３ａ等同士の連結を補強するとともに、外部からの光（太陽光）が居住空間１９に照射することを防ぎ、かつ雨水や湿度の浸入を防ぐために、壁側縁１３に沿って両面テープ（図示しない）を貼着する作業（両面テープ貼着工程）、さらにその上からガムテープ（図示しない）を積層して貼着する作業（テープ重貼工程）を合わせて行っている。すなわち、壁部組立工程Ｓ２は、本発明の両面テープ貼着工程及びテープ重貼工程の双方の構成を含んでいる。なお、この両面テープ貼着工程及びテープ重貼工程は、床部６、壁部７、及び屋根部８の連結が完了した時点でまとめて行うものであっても構わない。
【００４０】
次に、組立てられた壁部７を基礎部５に固定する（壁部固定工程Ｓ３）。このとき、基礎部５及びその上面に構築された床部６は正八角形状に形成されているため、それぞれの外周形状に沿って、かつ各壁パネル３ａ等のパネル内面２８を中心に向けた状態にセットし、壁パネル３ａ等の下端から延設された下端片７ａを内側に略９０°曲折し、基礎部５にコンクリート釘等（図示しない）の周知の固定手段を利用して固定するを行う。このとき、個々の壁パネル３ａ等の下端片７ａに対し、少なくとも二本ずつコンクリート釘等を打設することにより、壁部７は基礎部５に確実に固定され、この状態では各壁パネル３ａ等間の角度は変化することができない。この場合、正八角形筒状に壁部７が構成されていることにより、壁部７の内角は１３５°に保持される。これにより、二枚の壁パネル３ａ，３ｂ等によって所定角度に保持された壁部７は、上方からの荷重（主に屋根部８の重量）を支え得るだけの強度を有し、かつその下端が基礎部５に固定されていることから、側方から加えられる荷重に対しても十分に抗することができる。
【００４１】
その後、八枚の屋根パネル４を利用して屋根部８の組立てを行う（屋根部組立工程Ｓ４）。具体的に説明すると、各屋根パネル４の等辺縁１４からそれぞれ延設された等辺縁片２９を、上述の壁パネル３ａ等の壁側片２７による連結の場合と同様に内側に曲折し、等辺縁片２９の等辺縁片面同士を互いに面接触させた状態で重ね合わせ、さらに該面接触の状態を保持するためにプラスチック製のリブをそれぞれ等辺縁片２９を貫通するように挿込み、固定することによって行われている。なお、詳細については、既に述べたため、ここでは説明を省略する。さらに、補強、遮光、及び防水・防滴のために両面テープ貼着工程及びテープ重貼工程を屋根部組立工程Ｓ４に含め実施するものであっても構わない。
【００４２】
ここで、屋根パネル４の等辺縁１４の長さが床部６の中心から基礎部５に固定された壁部７の壁パネル３ａ等の壁側縁１３に至るまでよりも長く設計されている。そのため、上記の手法によって屋根部８を組立てた場合、屋根部８の中央付近（屋根パネル４の先端付近に相当）は、屋根部８の外周縁３０に対して一方に突出した状態、すなわち、いずれか一方に膨んだ状態となる。これにより、屋根部８は、頂点付近から外周縁３０に至るまでの屋根面１０が傾斜した八面ドーム状に形成される。このとき、各屋根パネル４の底辺端３１の長さは、壁パネル３ａ等の上端縁９の長さに略一致している。また、屋根パネル４の先端は、屋根部８の構築を容易にし、かつ頂点に換気孔を設けるために先端截頭構造を呈して構成されている。
【００４３】
その後、組立てられた屋根部８を、基礎部５に固定された壁部７に取付ける（屋根部取付工程Ｓ５）。ここで、前述したように、屋根部８を構成する屋根パネル４の底辺端３１の長さと、壁部７を構成する壁パネル３ａ等の上端縁９の長さは、略一致している。さらに、屋根部８の外周縁３０の形状と、壁部３ａの上端縁９によって形成される上周縁３２の形状とは一致している。そこで、屋根パネル４の底辺端３１から延設された壁用連結片３３と、壁パネル３ａ等の上端縁９から延設された屋根用連結片３４とを、上述と等辺縁片２９同士等の場合と同様に、内側に曲折し、壁用連結片３３と屋根用連結片３４の片面同士を互いに面接触させた状態で重ね合わせ、さらに該面接触の状態を保持するためにプラスチック製のリブをそれぞれ壁用連結片３３及び屋根用連結片３４を貫通するように挿込み、固定することによって行われている。さらに、補強、遮光、及び防水・防滴のために両面テープ貼着工程及びテープ重貼工程を屋根部取付工程Ｓ５に含め実施するものであっても構わない。これにより、本実施形態の建築方法１によって建築される建築物２の基本骨格が完成する。
【００４４】
さらに、壁パネル３ｃに開口した窓口部２６を開閉塞するためにプラスチック製の窓部２４をパネル外面２５に取付け、さらに出入口用の壁パネル３ａのパネル外面２５に開口部２１を開閉塞するためのシート状の扉部３５を取付ける（窓・扉取付工程Ｓ６）。ここで、窓部２４の取付けは、壁パネル３ｃの窓口部２６の上方に孔部を穿設し、この孔部と窓部２４に同様に穿設された孔部とをポリプロピレン製の細紐状の締結用ＰＰバンド（図示しない）によって結ぶことによって行われる。さらに、扉部３５は、パネル外面２５に両面テープ貼着工程及びテープ重貼工程においてそれぞれ用いた両面テープ及びガムテープ（いずれも図示しない）によって取付けられている。
【００４５】
その後、屋根部８の屋根面１０の全体を被覆するように、当該屋根部８の形状に合わせてカットされたシート部３６を屋根面１０に被せ、屋根シート１１を張設する（屋根シート取付工程Ｓ７：図１参照）。係る工程を具体的に説明すると、屋根面１０に防水性の素材で形成されたシート部３６を被せ、さらにシート辺縁３７に一端が取付けられたロープ３８の他端を、建築物２の周囲の地面に一部が埋設されたロープ締結具３９に締結することにより、屋根シート１１が張設される。その結果、屋根面１１に雨水が直接当たるのを防ぐことができるようになり、建築物２の耐久性を向上させることができる。
【００４６】
そして、壁パネル３ａ等のパネル内面２８にウレタン等の断熱性素材（図示しない）を両面テープ等によって内貼りして保温性を高めたり（内部断熱材取付工程Ｓ８）、壁部７と床部６及び基礎部５の間からの湿気等の浸入を防ぐために、壁部７の下端近傍を上述した屋根シート１１と略同一の素材で形成された防水シート４０で巻装したり（防水シート巻装工程Ｓ９）、さらに床部６の床面にニードルパンチ製法によって製造された床敷（図示しない）を保温性及び居住性を高めるために敷く（床敷取付工程Ｓ１０）、仕上げの作業を行う。これにより、壁部７等の主要構成材が段ボールで形成され、居住性及び保温性に優れた建築物２を少ない作業人数及び作業時間で、簡易に建築することができる。
【００４７】
特に、各パネル３ａ等から延設された壁側片２７等を互いに重ね合わせて固定する比較的簡易な方法で建築物２と建築することができるため、建築に関する専門の知識を有することのない作業者であっても作業を行うことができる。そのため、自然災害が発生し、集団で避難生活を送る避難住民に対し、各世帯毎に本発明によって建築された建築物２を自治体等が提供することにより、個々のプライバシーを確保した生活を送ることができるようになる。また、建築する場所の制限も少ないため、従来のようなプレハブ建築の仮設住宅の建設に比べ、短期間に建築することができ、避難住民が体育館等から移り住むまでの期間を大幅に短縮することができる。
【００４８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４９】
すなわち、本実施形態の建築方法１において、各工程の流れの一例として、図４に示すものを示したがこれに限定されるものではなく、各工程の順序を適宜変更するもの（例えば、壁部７を基礎部５に固定した後で床部６を構築するなど）であっても、或いは多人数の作業員を採用することにより、壁部７及び屋根部８の組立を同時に行うなど、複数の工程に係る作業を並行して行うものであってももちろん構わない。
【００５０】
さらに、壁パネル３ａ等を互いに連結する手段として、プラスチック製のリブを用いるものを例示したが、もちろんこれに限定されるものではなく、その他周知の固定・連結手段を用いることが可能である。さらに、外観構成が正八角形状の建築物２を建築する例を示したが、これに限定されるものではなく、多角筒状の壁部を有し、段ボールによって主に構成されるものであれば構わない。
【図面の簡単な説明】
【００５１】
【図１】建築方法によって建築される建築物の外観構成を示す斜視図である。
【図２】建築物の外観構成を示す分解斜視図である。
【図３】（ａ）壁パネル及び（ｂ）屋根パネルの構成の一例を示す説明図である。
【図４】建築方法における各工程の流れの一例を示すフローチャートである。
【符号の説明】
【００５２】
１  建築方法（段ボールを利用した建築物の建築方法）
２  建築物
３ａ，３ｂ，３ｃ  壁パネル
４  屋根パネル
５  基礎部
６  床部
７  壁部
７ａ  下端片
８  屋根部
９  上端縁
１０  屋根面
１１  屋根シート
１２ａ  正方形床パネル
１２ｂ  長方形床パネル
１２ｃ  三角形床パネル
１３  壁側縁
１４  等辺縁
１５  正方形ブロック
１５ａ  ブロック辺
１６  長方形ブロック
１７  直角対辺
１８  挟辺
１９  居住空間
２０  玄関部
２１  開口部
２２  配線／配管孔
２３  換気孔
２４  窓部
２５  パネル外面
２６  窓口部
２７  壁側片
２８  パネル内面
２９  等辺縁片
３０  外周縁
３１  底辺端
３２  上周縁
３３  壁用連結片
３４  屋根用連結片
３５  扉部
３６  シート部
３７  シート辺縁
３８  ロープ
３９  ロープ締結具
４０  防水シート
Ｓ１  床部構築工程
Ｓ２  壁部組立工程
Ｓ３  壁部固定工程
Ｓ４  屋根部組立工程
Ｓ５  屋根部固定工程
Ｓ６  窓・扉取付工程
Ｓ７  屋根シート取付工程
Ｓ８  内部断熱材取付工程
Ｓ９  防水シート巻装工程
Ｓ１０  床敷取付工程
【図１】
2007308956.tif 000003
【図２】
2007308956.tif 000004
【図３】
2007308956.tif 000005
【図４】
2007308956.tif 000006